(57)【要約】      （修正有）【課題】２４時間いつでも入浴でき、入浴中に微弱電流を通電できるようにし、入浴者の細胞の生体電位を刺激して、細胞内の活動電位を高め、活性化することにより、循環障害に基づくむくみ等の鎮静化や鎮痛、老化による細胞の活性化に起因した各種機能の低下の抑制および再生に対して、効果的なマイクロアンペア治療が可能な２４時間風呂を提供する。【解決手段】浴槽３と、浴湯を循環させる循環ポンプ４が介装された循環パイプ５、循環パイプに介装された浴槽内の浴湯を常に入浴適温に保持する加熱装置６とからなる２４時間風呂本体７と、２４時間風呂本体に設けられた商用電源から直流の微弱電流を供給する微弱電流供給装置９と、微弱電流供給装置の−極あるいは＋極の一方の電極体１０を、２４時間風呂本体を流れる浴湯に接触する部位あるいは浴槽内に設け、他方の電極体１２を前記浴槽の上縁部２ａに設けられた取っ手１１に取付けた構成とする。【選択図】図１
2011000381.tif 000002
【特許請求の範囲】
【請求項１】
浴槽と、この浴槽内の浴湯を循環させる循環ポンプが介装された循環パイプ、この循環パイプに介装された前記浴槽内の浴湯を常に入浴適温に保持する加熱装置とからなる２４時間風呂本体と、この２４時間風呂本体に設けられた商用電源から直流の微弱電流を供給する微弱電流供給装置と、この微弱電流供給装置の−極あるいは＋極を、前記２４時間風呂本体を流れる浴湯に接触する部位あるいは浴槽内に設けた一方の電極体と、前記微弱電流供給装置の＋極あるいは−極を前記浴槽の上縁部に設けられた取っ手に取付けた他方の電極体とからなることを特徴とする２４時間風呂。
【請求項２】
２４時間風呂本体の循環ポンプは浴槽内の浴湯を循環させるとともに、該循環ポンプの作動で発生する熱で循環される浴湯を加熱する循環ポンプ加熱装置が設けられていることを特徴とする請求項１記載の２４時間風呂。
【請求項３】
２４時間風呂本体は循環ポンプあるいは循環ポンプ加熱装置が設けられた循環ポンプと加熱装置と、微弱電流供給装置とがケース体内に設置されていることを特徴とする請求項１、２いずれかに記載の２４時間風呂。
【発明の詳細な説明】
【技術分野】
【０００１】
本発明は浴槽の浴湯を循環パイプで循環させながら、常に入浴適温に保持することができる２４時間風呂に関する。
【背景技術】
【０００２】
従来、２４時間いつでも最適に入浴できる２４時間風呂は浴湯を循環ポンプ、加熱装置、殺菌処理装置を介した循環パイプで循環させながら、常に入浴適温に保持するように構成されている。
【０００３】
このため、水の使用量は大幅に軽減することができるが、循環ポンプが常に駆動した状態となるとともに、加熱装置の作動頻度も高く、エネルギーの使用量が多くかかり、維持コストが高く、経済的でないという欠点があった。
【先行技術文献】
【特許文献】
【０００４】
【特許文献１】特開平１１−１９６３７
【特許文献２】特開平１１−２１６４７７
【発明の概要】
【発明が解決しようとする課題】
【０００５】
本発明は以上のような従来の欠点に鑑み、２４時間いつでも最適に入浴できるのはもちろん、入浴中に微弱電流を通電できるようにして、入浴者の細胞における生体電位を刺激して、細胞内の活動電位を高め、活性化することにより、循環障害に基づくむくみ等の鎮静化や鎮痛、さらには老化による細胞の活性化に起因した各種機能の低下の抑制および再生に対して、極めて効果的なマイクロアンペア治療が可能な２４時間風呂を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は浴槽と、この浴槽内の浴湯を循環させる循環ポンプが介装された循環パイプ、この循環パイプに介装された前記浴槽内の浴湯を常に入浴適温に保持する加熱装置とからなる２４時間風呂本体と、この２４時間風呂本体に設けられた商用電源から直流の微弱電流を供給する微弱電流供給装置と、この微弱電流供給装置の−極あるいは＋極を、前記２４時間風呂本体を流れる浴湯に接触する部位あるいは浴槽内に設けた一方の電極体と、前記微弱電流供給装置の＋極あるいは−極を前記浴槽の上縁部に設けられた取っ手に取付けた他方の電極体とで２４時間風呂を構成している。
【発明の効果】
【０００９】
以上の説明から明らかなように、本発明にあっては次に列挙する効果が得られる。
（１）浴槽と、この浴槽内の浴湯を循環させる循環ポンプが介装された循環パイプ、この循環パイプに介装された浴槽内の浴湯を常に入浴適温に保持する加熱装置とからなる２４時間風呂本体と、この２４時間風呂本体に設けられた商用電源から直流の微弱電流を供給する微弱電流供給装置と、この微弱電流供給装置の−極あるいは＋極を、２４時間風呂本体を流れる浴湯に接触する部位あるいは浴槽内に設けた一方の電極体と、微弱電流供給装置の＋極あるいは−極を浴槽の上縁部に設けられた取っ手に取付けた他方の電極体とで構成されているので、２４時間いつでも最適に入浴することができるとともに、入浴中に選択的に微弱電流を通電させてマイクロアンペア治療を行なうことができる。
したがって、２４時間最適に入浴することができるものに比べ、入浴とマイクロアンペア治療で、経済的に使用することができる。
（２）前記（１）により、２４時間風呂本体の設置と他方の電極の設置でよく、容易に設置することができる。
（３）請求項２も前記（１）、（２）と同様な効果が得られるとともに、循環ポンプの駆動時の発熱を循環ポンプ加熱装置で浴湯の加熱に利用することができる。
したがって、加熱装置の作動頻度の低減を図り、維持コストの低減を図り、より経済的に使用することができる。
（４）請求項３も前記（１）〜（３）と同様な効果が得られるとともに、より簡単に設置することができる。
【図面の簡単な説明】
【００１０】
【図１】本発明を実施するための第１の形態の概略説明図。
【図２】本発明を実施するための第１の形態の２４時間風呂本体の説明図。
【図３】本発明を実施するための第１の形態の循環ポンプの平面図。
【図４】本発明を実施するための第１の形態の循環ポンプの側面図。
【図５】本発明を実施するための第１の形態の入浴状態の説明図。
【図６】入浴しながらマイクロアンペア治療を行なう状態の説明図。
【図７】本発明を実施するための第２の形態の概略説明図。
【図８】本発明を実施するための第２の形態の循環ポンプの説明図。
【図９】図８の９−９線に沿う断面図。
【図１０】本発明を実施するための第３の形態の概略説明図。
【図１１】図１０の１１−１１線に沿う断面図。
【発明を実施するための形態】
【００１１】
以下、図面に示す本発明を実施するための形態により、本発明を詳細に説明する。
【００１２】
図１ないし図６に示す本発明を実施するための第１の形態において、１は浴槽２内の浴湯３を常に入浴適温に保持することができる本発明の２４時間風呂で、この２４時間風呂１は前記浴槽２内の浴湯３を循環させる循環ポンプ４が介装された循環パイプ５と、この循環パイプ５に介装された前記浴槽２内の浴湯３を、常に入浴適温に保持する加熱装置６とからなる２４時間風呂本体７と、この２４時間風呂本体７に設けられた商用電源から直流の微弱電流を供給するＯＮ、ＯＦＦスイッチ８が設けられた微弱電流供給装置９と、この微弱電流供給装置９の−極あるいは＋極を、前記２４時間風呂本体７を流れる浴湯３に接触させる一方の電極体１０と、前記微弱電流供給装置９の＋極あるいは−極を前記浴槽２の上縁部２ａに設けられた取っ手１１に取付けられた他方の電極１２と、前記浴槽２内へ温水あるいは冷水を供給する混合栓１３やシャワー装置１４が設けられた湯水供給装置１５とで構成されている。
【００１３】
前記２４時間風呂本体７は床面や壁面に設置することができるケース体１６と、このケース体１６より前記浴槽２内に両端部が挿入される吸引パイプ１７、排出パイプ１８とからなる循環パイプ５と、前記ケース体１６内の循環パイプ５に介装されたフィルタ１９、循環ポンプ駆動スイッチ２０のＯＮ操作で駆動される循環ポンプ４、加熱装置６としてのヒータおよび、前記循環ポンプ４の下流の循環パイプ５を流れる浴湯３の温度を温度センサー２１で測定し、一定温度以下の場合にのみ前記加熱装置６としてのヒータを作動させる制御装置２２とで構成されている。
【００１４】
前記循環ポンプ４は循環ポンプ本体２３と、この循環ポンプ本体２３の夏場等に４０〜５０度近くにもなる放熱部２４に固定された熱伝導のよい材質で形成された放熱パイプ取付け部材２５、２５、この放熱パイプ取付け部材２５、２５に密着状態で固定された熱伝導のよい材質で形成された両端部が前記ケース体１６内の循環パイプ５に接続された放熱パイプ２６とからなる循環ポンプ加熱装置２７とで構成されている。
【００１５】
上記構成の２４時間風呂１は湯水供給装置１５の混合栓１３で浴槽２内に入浴適温の浴湯３をはる。
【００１６】
しかる後、２４時間風呂本体７の循環ポンプ４を、循環ポンプ駆動スイッチ２０をＯＮして駆動させ、浴槽２内の浴湯３を循環パイプ５の吸引パイプ１７で吸引し、排出パイプ１８で浴槽２内へ排出させて循環させる。
【００１７】
この循環パイプ５を流れる浴湯３中に含まれているゴミはフィルタ１９で除去するとともに、循環ポンプ４を通過する際に循環ポンプ加熱装置２７で循環ポンプ４の駆動による発熱で加熱され、制御装置２２、加熱装置６としてのヒータを通過して浴槽２内へ戻される。
【００１８】
なお、夏場の周囲の温度が高い時には、循環ポンプ４が４０〜５０度に加熱されるため、循環ポンプ加熱装置２７の浴湯３の加熱だけで十分な場合がある。
【００１９】
また、周囲の温度が低い場合には、循環ポンプ加熱装置２７を通過した浴湯３の温度が低いと、制御装置２２によって加熱装置６としてのヒータが作動して、該ヒータで浴湯３を加熱し、浴槽２へ戻す。
【００２０】
すなわち、循環パイプ５を流れる浴湯３の温度によって制御装置２２が作動して、加熱装置６としてのヒータがＯＮ、ＯＦＦされ、浴槽２内の浴湯３の温度を常に入浴適温に保つことができる。
【００２１】
さらに、入浴時にマクロアンペア治療を行なう場合、図６に示すように入浴者２８が浴槽２につかった状態で、ＯＮ、ＯＦＦスイッチ８をＯＮし、浴槽２の上縁部に設けられた取っ手１１をつかむことにより、微弱電流供給装置９の他方の電極体１２と接触した状態となり、微弱電流供給装置９の一方の電極体１０と接触している浴湯３を介して、入浴者２８に微弱電流が流れる状態となる。
【００２２】
このため、入浴者２８の細胞における生体電位を刺激して、細胞内の活動電位を高め、活性化することにより循環障害に基づくむくみ等の鎮静化や鎮痛、さらには老化による細胞の活性化に起因した各種機能の低下の抑制および再生に対して極めて効果的なマイクロアンペア治療を行なうことができる。
【００２３】
[発明を実施するための異なる形態]
次に、図７ないし図１１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図７ないし図９に示す本発明を実施するための第２の形態において、前記本発明を実施するための第１の形態と主に異なる点は、循環ポンプ本体２３の発熱部分のケース体２９にウォータジャケットとしての浴湯通過路３０を形成して設けた循環ポンプ加熱装置２７Ａを備えた循環ポンプ４Ａを用いた点で、このような循環ポンプ４Ａを用いて構成した２４時間風呂１Ａにしても、前記本発明を実施するための第１の形態と同様な作用効果が得られる。
【００２５】
図１０および図１１に示す本発明を実施するための第３の形態において、前記本発明を実施するための第１の形態と主に異なる点は、微弱電流供給装置９の一方の電極体１０を浴槽２の浴湯３内に位置する内壁面に固定した点で、このように一方の電極体１０を浴槽２内に設けた２４時間風呂１Ｂにしても、前記本発明を実施するための第１の形態と同様な作用効果が得られる。
【００２６】
なお、加熱装置としてヒータを用いるものについて説明したが、本発明はこれに限らず、燃焼ガスを用いた燃料機器を用いてもよい。
【産業上の利用可能性】
【００２７】
本発明は２４時間風呂を製造する産業で利用される。
【符号の説明】
【００２８】
１、１Ａ、１Ｂ：２４時間風呂、２：浴槽、
３：浴湯、              ４、４Ａ：循環ポンプ、
５：循環パイプ、              ６：加熱装置、
７：２４時間風呂本体、        ８：ＯＮ、ＯＦＦスイッチ、
９：微弱電流供給装置、      １０：一方の電極体、
１１：取っ手、              １２：他方の電極体、
１３：混合栓、              １４：シャワー装置、
１５：湯水供給装置、        １６：ケース体、
１７：吸引パイプ、          １８：排出パイプ、
１９：フィルタ、            ２０：循環ポンプ駆動スイッチ、
２１：温度センサー、        ２２：制御装置、
２３：循環ポンプ本体、      ２４：放熱部、
２５：放熱パイプ取付け部材、２６：放熱パイプ、
２７、２７Ａ：循環ポンプ加熱装置、
２８：入浴者、              ２９：ケース体、
３０：浴湯通過路。
【図１】
2011000381.tif 000003
【図２】
2011000381.tif 000004
【図３】
2011000381.tif 000005
【図４】
2011000381.tif 000006
【図５】
2011000381.tif 000007
【図６】
2011000381.tif 000008
【図７】
2011000381.tif 000009
【図８】
2011000381.tif 000010
【図９】
2011000381.tif 000011
【図１０】
2011000381.tif 000012
【図１１】
2011000381.tif 000013